(57)【特許請求の範囲】
【請求項１】
移動通信装置であって、
第一サービスネットワークの第一セルラー局と第二サービスネットワークの第二セルラー局間の無線送受信を実行し、前記第一サービスネットワークは、ロングタームエボリューション（ＬＴＥ）ネットワークであり、前記第二サービスネットワークは、前記ＬＴＥネットワークとは異なるユニバーサルモバイルテレコミュニケーションシステム（ＵＭＴＳ）ネットワークである無線モジュールと、
前記無線モジュールにより、前記第一セルラー局から、測定要求メッセージを受信し、前記測定要求メッセージに応答して、前記第二セルラー局に測定を実行し、前記無線モジュールにより、測定結果を前記第一サービスネットワークに報告するコントローラーモジュールと、を含み、
前記コントローラーモジュールが、前記第一サービスネットワークにより提供される専用のキャリア周波数上で測定したいセルラー局のリストを含み、
前記第二セルラー局が、前記セルラー局のリストにリストされないが、前記コントローラーモジュールにより、前記専用のキャリア周波数上で検出される検出可能なセルラー局であり、
前記検出されたセルラー局は、家庭配備型（ｈｏｍｅ  ｄｅｐｌｏｙｍｅｎｔ  ｔｙｐｅ）であり、且つ限定加入者グループ（ＣＳＧ）セルラー局であり、前記第二セルラー局は、前記第一サービスネットワークにより、測定が事前に要求されていない、又は、測定が事前に設定されていないことを特徴とする移動通信装置。
【請求項２】
前記ＣＳＧセルラー局は、前記移動通信装置のＣＳＧホワイトリスト中にあることを特徴とする請求項１に記載の移動通信装置。
【請求項３】
前記第二セルラー局は、前記移動通信装置により前に訪れた、又は、前記移動通信装置のメモリに保存されることを特徴とする請求項１に記載の移動通信装置。
【請求項４】
前記第二セルラー局は、ユーザーにより手動で入力されるセルラー局であることを特徴とする請求項１に記載の移動通信装置。
【請求項５】
前記測定要求メッセージは、システム情報、又は、ＲＲＣ接続再設定メッセージであることを特徴とする請求項１に記載の移動通信装置。
【請求項６】
移動通信装置に適用される測定報告方法であって、
前記移動通信装置の無線モジュールにより、第一サービスネットワークの第一セルラー局から、測定要求メッセージを受信するステップと、
前記移動通信装置のコントローラーモジュールにより、前記測定要求メッセージに基づいて、第二サービスネットワークの第二セルラー局に測定を実行するステップと、
前記無線モジュールにより、測定結果を前記第一サービスネットワークに報告するステップと、
を含み、
前記コントローラーモジュールが、前記第一サービスネットワークにより提供される専用のキャリア周波数上で測定したいセルラー局のリストを含み、
前記第二セルラー局が、前記セルラー局のリストにリストされないが、前記コントローラーモジュールにより、前記専用のキャリア周波数上で検出される検出可能なセルラー局であり、
前記第一サービスネットワークは、ロングタームエボリューション（ＬＴＥ）ネットワークであり、前記第二サービスネットワークは、前記ＬＴＥネットワークとは異なるユニバーサルモバイルテレコミュニケーションシステム（ＵＭＴＳ）ネットワークであり、
前記第二セルラー局は、前記第一サービスネットワークにより、測定が事前に要求されていない、又は、測定が事前に設定されていないこと、および前記検出されたセルラー局は、家庭配備型（ｈｏｍｅ  ｄｅｐｌｏｙｍｅｎｔ  ｔｙｐｅ）であり、且つ限定加入者グループ（ＣＳＧ）セルラー局であることを特徴とする方法。
【請求項７】
ロングタームエボリューション（ＬＴＥ）ネットワークである第一サービスネットワーク及び前記ＬＴＥネットワークとは異なるユニバーサルモバイルテレコミュニケーションシステム（ＵＭＴＳ）ネットワークである第二サービスネットワークを含むサービスネットワークシステムであって、
請求項１に記載の移動通信装置間の無線送受信を実行するセルラー局と、
測定が事前に要求されていない、又は、測定が事前に設定されていない家庭配備型の限定加入者グループ（ＣＳＧ）セルラー局を隣接セルリストに加え、前記セルラー局により、前記隣接セルリストを有する測定要求メッセージを前記移動通信装置に伝送する制御ノードと、
を含むことを特徴とするサービスネットワークシステム。
【請求項８】
前記制御ノードは、前記測定要求メッセージの測定対象中、隣接セルを含むことを特徴とする請求項７に記載のサービスネットワークシステム。
【請求項９】
前記ＣＳＧセルラー局は、ＵＴＲＡセルラー局であることを特徴とする請求項７に記載のサービスネットワークシステム。
【請求項１０】
前記制御ノードは、前記移動通信装置から伝送される特定のメッセージを受信後、前記家庭配備型の前記ＣＳＧセルラー局を前記隣接セルリストに加えることを特徴とする請求項７に記載のサービスネットワークシステム。
【請求項１１】
前記特定のメッセージは、近接指示メッセージであることを特徴とする請求項１０に記載のサービスネットワークシステム。
【発明の詳細な説明】
【技術分野】
【０００１】
本発明は、ワイヤレスコミュニケーションシステムに適用する測定報告に関するものであって、特に、異なる無線アクセス技術（ＲＡＴ）に関連するワイヤレスコミュニケーションシステムに適用する測定報告の装置及び方法に関するものである。
【背景技術】
【０００２】
通常の移動通信環境において、ユーザー装置（ＵＥ）は、サービスネットワークのセルラー局により、音声、及び／又は、データ信号が一つ、或いは、それ以上のサービスネットワークと通信する。ＵＥとサービスネットワーク間のワイヤレスコミュニケーションは、様々な無線アクセス技術（ＲＡＴ）、例えば、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）技術、ＧＰＲＳ（Ｇｅｎｅｒａｌ  Ｐａｃｋｅｔ  Ｒａｄｉｏ  Ｓｅｒｖｉｃｅ）技術、ＥＤＧＥ（Ｅｎｈａｎｃｅｄ  Ｄａｔａ  ｒａｔｅｓ  ｆｏｒ  Ｇｌｏｂａｌ  Ｅｖｏｌｕｔｉｏｎ）技術、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）技術、ＣＤＭＡ２０００（Ｃｏｄｅ  Ｄｉｖｉｓｉｏｎ  Ｍｕｌｔｉｐｌｅ  Ａｃｃｅｓｓ  ２０００）技術、ＴＤ−ＳＣＤＭＡ（Ｔｉｍｅ  Ｄｉｖｉｓｉｏｎ−Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ）技術、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）技術、ロングタームエボリューション（ＬＴＥ）技術、ユニバーサルモバイルテレコミュニケーションシステム（ＵＭＴＳ）技術等に準拠する。
【０００３】
ＵＥに特定の機能、例えば、ネットワークノード間のハンドオーバー（ＨＯ）を与えるため、ＵＥは、例えば、特定の周波数、又は、システム上のセル（即ち、セルラー局）に測定を実行することが必要である。これらの測定を実行するため、ＵＥは、一測定設定を必要とし、同じ、又は、異なる周波数、及び、異なる無線アクセス技術（ＲＡＴ）で、測定を実行する目的を達成する。サービスネットワーク（例えば、ＬＴＥ中のＥ−ＵＴＲＡＮ）は、ＵＥを設定して、測定情報を報告し、ＵＥ移動度の制御をサポートする。測定設定は、ＲＲＣＣｏｎｎｅｃｔｉｏｎＲｅｃｏｎｆｉｇｕｒａｔｉｏｎ  ｍｅｓｓａｇｅにより信号伝送される。測定設定は、測定タイプ、例えば、異周波数間（ｉｎｔｅｒ−ｆｒｅｑｕｅｎｃｙ）測定、周波数内（ｉｎｔｒａ−ｆｒｅｑｕｅｎｃｙ）測定、及び、ＲＡＴ間測定を含み、サービスネットワークを補助し、ハンドオーバー（ＨＯ）を実行する。ＵＭＴＳとＬＴＥ技術両方にとって、これらの測定タイプは、サービスネットワークにより設定され、ＵＥがこれらの事象で設定される場合、ＵＥは、特定周波数、又は、ＲＡＴ上の測定情報を報告する。測定設定は、少なくとも、ＵＥが測定を実行する対象である測定対象を含む。測定工程は、以下のセルタイプに分類され、サービングセル、リストされたセル、及び、検出されたセルがあり、サービングセルはＵＥが留めているセルで、リストされたセルは測定対象中でリストされたセルで、検出されたセルは測定対象中でリストされないが、測定対象により指示されるキャリア周波数上でＵＥにより検出されたセルである。
【０００４】
特に、現在のサービスネットワークの設計において、ホームセル、例えば、限定加入者グループ（ＣＳＧ）セル、ハイブリッドセル、フェムトセル、ピコセル、又は、その他のホームセルは、小さい被覆範囲のセルラー基地局を用いることができ、Ｈｏｍｅ  Ｎｏｄｅ−Ｂ（ＨＮＢ）、又は、Ｈｏｍｅ  ｅ−Ｎｏｄｅ−Ｂ（ＨｅＮＢ）と称され、通常、住居、又は、小さいビジネス環境での使用のために設計される。ホームセルは、有線、又は、無線のバックホール接続により、サービスプロバイダネットワークに接続される。例えば、ホームセル（例えば、ＣＳＧセル、又は、ハイブリッドセル）、又は、ＨＮＢ、又は、ＨｅＮＢは、校内の配備、又は、ユーザーの家の配備に使用される。開放アクセスモードで操作するように設定される時、ＨＮＢ、又は、ＨｅＮＢは、サービスアクセスを任意のサービスネットワークのサブキャリアに提供する（それらの間で達成されたローミング協定に依存する）。特に、ＨＮＢ、又は、ＨｅＮＢはＣＳＧに関連し、閉鎖アクセスモードで操作時、サービスアクセスを、関連するＣＳＧに属するサブキャリアに提供する。
【発明の概要】
【発明が解決しようとする課題】
【０００５】
一般に、ＲＡＴ間ユニバーサル地上無線アクセス（ＵＴＲＡ）技術の測定にとって、ＵＥは、測定される測定対象内でリストされたセルである記載セル上で、測定、及び、報告する。注意すべきことは、３ＧＰＰ仕様中の現在の作業仮説は、隣接セルリスト中で、家庭配備型のＣＳＧセル配置が表示されないことである。
【課題を解決するための手段】
【０００６】
よって、本発明の実施形態は、異なる無線アクセス技術（ＲＡＴ）に関連するワイヤレスコミュニケーションシステムに適用する測定報告の装置と方法を提供する。本発明の一態様中、無線モジュールとコントローラーモジュールを有する移動通信装置が提供される。無線モジュールは、第一サービスネットワークの第一セルラー局と第二サービスネットワークの第二セルラー局間の無線送受信を実行し、第一サービスネットワークは、ロングタームエボリューション（ＬＴＥ）ネットワークであり、第二サービスネットワークは、ユニバーサルモバイルテレコミュニケーションシステム（ＵＭＴＳ）ネットワークである。コントローラーモジュールは、無線モジュールにより、第一セルラー局から、測定要求メッセージを受信し、測定要求メッセージに応答して、第二セルラー局に測定を実行し、無線モジュールにより、測定結果を第一サービスネットワークに報告し、第二セルラー局は、第一サービスネットワークにより、測定が事前に要求、又は、設定されていない。
【０００７】
本発明の別の態様中、移動通信装置に適用される測定報告方法が提供される。本方法は、第一サービスネットワークの第一セルラー局から、測定要求メッセージを受信するステップと、測定要求メッセージに基づいて、第二サービスネットワークの第二セルラー局に測定を実行するステップと、測定結果を第一サービスネットワークに報告するステップと、を含み、第一サービスネットワークは、ロングタームエボリューション（ＬＴＥ）ネットワークであり、第二サービスネットワークは、ユニバーサルモバイルテレコミュニケーションシステム（ＵＭＴＳ）ネットワークであり、第二セルラー局は、第一サービスネットワークにより、測定が事前に要求、又は、設定されていない。
【０００８】
本発明の更に別の態様中、セルラー局と制御ノードを有するサービスネットワークが提供される。セルラー局は、移動通信装置間の無線送受信を実行する。制御ノードは、家庭配備型の限定加入者グループ（ＣＳＧ）セルラー局を隣接セルリストに加え、セルラー局により、隣接セルリストを有する測定要求メッセージを移動通信装置に伝送する。
【０００９】
本発明のその他の特徴と長所に関し、当該技術を熟知する者なら誰でも、本発明の精神と領域を脱しない範囲内で、ワイヤレスコミュニケーションシステムにおける測定報告の装置及び方法の特定の実施形態に各種の変動や改良を加えることができる。
【発明の効果】
【００１０】
本発明により、異なる無線アクセス技術（ＲＡＴ）に関連するワイヤレスコミュニケーションシステムに適用する測定報告の装置及び方法が提供され、公知の問題を改善することができる。
【図面の簡単な説明】
【００１１】
【図１】本発明の実施形態による移動通信環境を示す図である。
【図２】本発明の実施形態による移動通信装置からＬＴＥセルラー局への測定報告工程を説明するメッセージシーケンスチャートである。
【図３】本発明の別の実施形態によるセルラー局から移動通信装置への測定要求工程を説明するメッセージシーケンスチャートである。
【図４】本発明の実施形態による移動通信装置中の測定報告工程を実行する方法を説明するフローチャートである。
【図５】本発明の実施形態による移動通信装置の隣接セルリストを更新するサービスネットワークの方法を説明するフローチャートである。
【発明を実施するための形態】
【００１２】
以下の記載は本発明を実施する最適なモードである。この記載は、本発明の一般原則を説明する目的のためのもので、本発明の全方式を表すものではない。３ＧＰＰ仕様は本発明の精神を理解するために用いられ、本発明はこれに限定されない。
【００１３】
ＷＣＤＭＡネットワーク、又は、ＬＴＥネットワークは、フェムトセル、又は、限定加入者グループ（ＣＳＧ）セルを含み、一般に、住居、又は、小ビジネス環境に設計され、ＷＣＤＭＡ技術、又は、ＬＴＥ技術を用いて、無線範囲をＵＥに提供し、ＵＥと存在するバックホールのブロードバンドインターネット接続（例えば、デジタルサブキャリアライン（ＤＳＬ）、ケーブル）と通信する。前述のように、サービスネットワークは、ＵＥを設定して、測定情報を報告し、ＵＥ移動度の制御をサポートする。ＵＥも、測定情報を進化型−Ｎｏｄｅ  Ｂｓ（ｅＮＢｓ）に報告する責任がある。サービスネットワーク（ＥＵＴＲＡＮ）は、専用のシグナリングにより、即ち、ＲＲＣメッセージ（例えば、ＲＲＣＣｏｎｎｅｃｔｉｏｎＲｅｃｏｎｆｉｇｕｒａｔｉｏｎ  ｍｅｓｓａｇｅ）を用いて、使用可能な測定設定をＵＥに提供する。一実施形態中、測定設定（ＭｅａｓＣｏｎｆｉｇ）は以下のパラメータを含む。
【００１４】
１．  測定対象（ｍｅａｓＯｂｊｅｃｔ）：ＵＥが測定を実行する対象、例えば、キャリア周波数を示す。測定対象は、考慮されるセルのリスト（ホワイトリスト、又は、ブラックリスト）と関連パラメータ、例えば、周波数、又は、セル特定のオフセットを含む。
２．  報告設定（ｒｅｐｏｒｔＣｏｎｆｉｇ）：報告設定のリストを示し、各報告設定は、ＵＥに測定報告を伝送させる（周期性、又は、イベントトリガー型）基準と、ＵＥがどの種類の情報を報告するかを予期する詳細（つまり、例えば、ＵＭＴＳの受信信号コード電力（Ｒｅｃｅｉｖｅｄ  Ｓｉｇｎａｌ  Ｃｏｄｅ  Ｐｏｗｅｒ、ＲＳＣＰ）、又は、ＬＴＥの基準信号受信電力（Ｒｅｆｅｒｅｎｃｅ  Ｓｉｇｎａｌ  Ｒｅｃｅｉｖｅｄ  Ｐｏｗｅｒ、ＲＳＲＰ）、及び、セルの数量）を含む。
３．  測定ＩＤ（ｍｅａｓＩｄ）：測定ＩＤのリストを示し、各測定ＩＤは、一報告設定を有する一測定対象に連結される。
４．  数量設定（ｑｕａｎｔｉｔｙＣｏｎｆｉｇ）：数量設定は、測定数量、及び、相関するフィルタリング条件を定義し、全事象評価、及び、測定タイプの関連する報告に用いられる。
５．  測定ギャップ（ｍｅａｓＧａｐＣｏｎｆｉｇ）：ＵＥが測定の実行に用いる期間を示し、つまり、どの（ＵＬ，  ＤＬ）伝送も手配されない。
【００１５】
一般に、サービスネットワークは、与えられた周波数に対し、単一の測定対象を設定する。サービスネットワークにより提供される測定設定に基づいて、ＵＥは、対応する測定対象に測定タスクを実行し、報告設定に従って、測定結果を報告する。
【００１６】
注意すべきことは、前述の公知のＲＡＴ間ＵＴＲＡ測定報告工程中、ＵＥがＬＴＥセルにより供される間、ＵＥは、リストされたＵＴＲＡセルだけを測定、及び、報告することができることである。更に、サービスネットワークは、測定対象の隣接セル情報として、家庭配備型のＣＳＧセルを含むことができない。
【００１７】
ＵＥからの近接指示メッセージを受信後、サービスネットワークは、ＣＳＧセルの測定設定をＵＥに設定する。しかし、測定設定メッセージ中、サービスネットワークは、隣接セルリスト中に、いかなる家庭配備型のＣＳＧセルも含むことができない。よって、サービスネットワークからこのような測定設定を受信後、ＵＥは、家庭配備型の検出されたＣＳＧセルだけ、測定と報告をすることができる。
【００１８】
近接指示メッセージは、二つのセルが、互いに近接し、且つ、同じＰＣＩを用いることにより生じる物理セルＩＤ（ＰＣＩ）衝突問題を解決し、測定報告中の曖昧性を回避するのに用いられる。ＬＴＥ中のＰＣＩ設定、又は、ＵＭＴＳ中の一次スクランブリングコード（ＰＳＣ）衝突は、家庭配備型のＣＳＧセル中だけで発生するので、ＵＥは、近接指示メッセージを伝送後、家庭配備型のＣＳＧセルに報告できない。
【００１９】
これらの問題を解決するため、本発明は、ＬＴＥセル中のＵＥ、及び、サービスネットワークに適用する改善された測定報告工程を提出することを目的とする。
【００２０】
図１は、本発明の実施形態による移動通信環境を示す図である。移動通信環境１１０中、移動通信装置１１０は、ワイヤレスでサービスネットワーク１２０のセルラー局１２２とサービスネットワーク１３０のセルラー局１３２に無線接続されて、無線サービスを得る。一般に、セルラー局１２２は、基地局、セル、又は、アクセス局と称されるか、又は、ＷＣＤＭＡネットワークのＨｏｍｅ  Ｎｏｄｅ−Ｂ（ＨＮＢ）、又は、ＬＴＥネットワークのＨｏｍｅ  ｅ−Ｎｏｄｅ−Ｂ（ＨｅＮＢ）と称され、且つ、制御ノード１２４により制御されて、サービスネットワーク１２０に必要な無線送受信の機能を提供する。同様に、セルラー局１３２は、基地局、セル、又は、アクセス局と称されるか、又は、ＷＣＤＭＡネットワークのＨＮＢ、又は、ＬＴＥネットワークのＨｅＮＢと称され、且つ、制御ノード１３４により制御されて、サービスネットワーク１３０に必要な無線送受信の機能を提供する。
【００２１】
この実施形態中、セルラー局１２２は、ＬＴＥ技術をサポートするＬＴＥセルラー局（又は、ＬＴＥセルと称される）で、セルラー局１３２は、ＵＴＲＡ技術をサポートするＵＴＲＡセルラー局（又は、ＵＴＲＡセルと称される）である。移動通信装置１１０はユーザー装置（ＵＥ）、又は、移動局（ＭＳ）と称され、上述のＲＡＴをサポートし、携帯電話、コンピュータシステム等の装置である。移動通信装置１１０は無線モジュール１１２を有し、セルラー局１２２、又は、セルラー局１３２間の無線送受信を実行する。更に説明すると、無線モジュール１１２は、ベースバンドユニット（図示しない）と無線周波数（ＲＦ）ユニット（図示しない）を含む。ベースバンドユニットは、複数のハードウェア装置を含み、アナログ−デジタル変換（ＡＤＣ）／デジタル−アナログ変換（ＤＡＣ）、利得調整、変調／復調、符号化／復号化等を含むベースバンド信号処理を実行する。ＲＦユニットはＲＦ無線信号を受信し、受信されたＲＦ無線信号をベースバンド信号に転換し、ベースバンドユニットにより処理、又は、ベースバンドユニットからベースバンド信号を受信して、受信されたベースバンド信号をＲＦ無線信号に転換し、その後、伝送する。ＲＦユニットは、複数のハードウェア装置も含み、無線周波数変換を実行する。例えば、ＲＦユニットはミキサーを有し、ベースバンド信号とワイヤレスコミュニケーションシステムの無線周波数で発振するキャリアを多重化し、無線周波数は、ＷＣＤＭＡシステムに用いられる９００ＭＨｚ、１９００ＭＨｚ、又は、２１００ＭＨｚ、又は、ＬＴＥシステムに用いられる９００ＭＨｚ、２１００ＭＨｚ、又は、２．６ＧＨｚ、或いは、その他の無線アクセス技術（ＲＡＴ）の基準に基づく。この他、移動通信装置１１０は、更に、コントローラーモジュール１１４を有し、無線モジュール１１２と別の機能部品、例えば、ディスプレイユニット、及び／又は、ＭＭＩ（ｍａｎ−ｍａｃｈｉｎｅ  ｉｎｔｅｒｆａｃｅ）となるキーパッド、アプリケーション、又は、コミュニケーションプロトコルのプログラムコードを保存するストレージユニットの操作を制御する。一実施形態中、サービスネットワーク１２０はＷＣＤＭＡネットワークであり、移動通信装置１１０は、２４．００８仕様とＷＣＤＭＡ技術別の関連仕様に準拠するＵＥである。別の実施形態中、サービスネットワーク１３０はＬＴＥネットワークであり、移動通信装置１１０は、３ＧＰＰ  ＴＳ  ２４．３０１仕様とＬＴＥ技術の別の関連仕様に準拠するＵＥである。また、移動通信装置１１０は、ＷＣＤＭＡとＬＴＥコミュニケーションプロトコルの仕様両方に準拠するＵＥであり、本発明はこれに限定されない。
【００２２】
更に詳細には、コントローラーモジュール１１４は、無線モジュール１１２を制御し、それぞれ、セルラー局１２２、及び／又は、セルラー局１３２により、サービスネットワーク１２０、及び／又は、サービスネットワーク１３０と、測定報告工程を実行する。
【００２３】
図２は、本発明の実施形態による移動通信装置からＬＴＥセルラー局への測定報告工程を説明するメッセージシーケンスチャートである。最初に、セルラー局１２２（例えば、ＨＮＢ）のセル、又は、周波数に移行する時（ステップＳ２１０）、コントローラーモジュール１１４は、無線モジュール１１２により、近接指示（Ｐｒｏｘｉｍｉｔｙ  Ｉｎｄｉｃａｔｉｏｎ）をサービスネットワーク１２０に伝送する（ステップＳ２２０）。特に、セルラー局１２２に近接するかの検出が、移動通信装置１１０に保存された指紋リストに従って実行され、移動通信装置１１０が以前に訪れたＣＳＧセルラー局の指紋、例えば、隣接セルラー局のセルＩＤ等を維持する。例えば、移動通信装置１１０が、サービングセルと同じ、又は、異なる周波数、又は、異なるＲＡＴを用いて、そのＣＳＧホワイトリストに保存されるＣＳＧ  ＩＤを有する少なくとも一つのＨＮＢを検出し、現在の位置に近接する時（サービングセルの近接範囲）、移動通信装置１１０は、近接指示をサービスネットワーク１２０に伝送する。近接指示を受信する時、サービスネットワーク１２０は、測定要求を移動通信装置１１０に伝送し（ステップＳ２３０）、測定要求は、測定したいセルラー局のセルＩＤのリストを含み、リストされたセルラー局に測定の実行を要求する。よって、測定要求を受信する時、コントローラーモジュール１１４は、リストされたセルラー局に測定の実行を準備する。一方、移動通信装置１１０は、更に、サービスネットワーク１３０（例えば、ＵＭＴＳセル）のあるセルラー局１３２の存在を発見し、それは、測定要求メッセージ中の測定対象中にリストされたセルラー局に属さないが、測定対象により表示されるキャリア周波数上で検出されたセルにある。特に、サービスネットワーク１３０のセルラー局１３２は、検出されたセルラー局（ｄｅｔｅｃｔｅｄ  ｃｅｌｌｕｌａｒ  ｓｔａｔｉｏｎ）と称される。例えば、サービスネットワーク１２０は、特定のキャリア周波数上のサービスネットワーク１２０のセルラー局１，２に測定を実行するよう要求する。しかし、移動通信装置１１０は、サービスネットワーク１２０により測定、又は、設定が要求されないサービスネットワークのセルラー局ａ，ｂが、同じ特定のキャリア周波数で検出されたことを発見する。この場合、サービスネットワーク１３０のセルラー局ａ，ｂは検出されたセルラー局と称され、移動通信装置１１０により測定される。ある実施形態中、検出されたセルラー局は、ＣＳＧセルラー局である。特に、ＣＳＧセルラー局は家庭配備型である。例えば、上述のＣＳＧセルラー局は、移動通信装置１１０のＣＳＧホワイトリストに含まれるＣＳＧセルラー局である。
【００２４】
一実施形態中、上述の検出されたセルラー局は、移動通信装置１１０が以前に訪れたセルラー局、例えば、これに限定するものではないが、移動通信装置１１０の前のサービングセル、移動通信装置１１０が以前に留まったセルラー局、移動通信装置１１０が前に測定したセルラー局、移動通信装置１１０が、以前に測定を設定したセルラー局、移動通信装置１１０の汎用加入者識別モジュール（ＵＳＩＭ）に保存されるセルラー局、及び、移動通信装置１１０の指紋リストに保存されるセルラー局である。別の実施形態中、上述の検出されたセルラー局は、移動通信装置１１０のメモリに既に保存されたセルラー局で、例えば、これに限定するものではないが、サービスネットワーク１２０により事前に設定されたが見つかっていないセルラー局、移動通信装置１１０のＵＳＩＭＩに保存されたセルラー局、移動通信装置１１０のソフトウェア、又は、ハードウェアに保存されたセルラー局である。別の実施形態中、上述のセルラー局は、移動通信装置１１０のユーザーにより手動で入力されるセルラー局、例えば、ユーザーが入力し、検索が要求される特定のセルラー局である。
【００２５】
これにより、移動通信装置１１０は、無線モジュール１１２により、リストされたセルラー局だけでなく、測定要求メッセージの測定対象中でリストされないが、測定対象により示されるキャリア周波数上で検出できるサービスネットワーク１３０の検出されたセルラー局１３２（例えば、ＵＲＴＡセル）に対し測定を実行する（ステップＳ２４０）。このステップで、移動通信装置１１０は、サービスネットワーク１２０により測定されることが要求、又は、設定されたＵＴＲＡセルだけでなく、サービスネットワーク１２０により測定、又は、設定されることが要求されないＵＴＲＡセル（例えば、検出されたＵＴＲＡセル）に対しても、測定、報告を実行する。この測定が終了後、コントローラーモジュール１１２は、更に、無線モジュール１１２により、特定メッセージを伝送することにより、測定結果をサービスネットワーク１２０に報告する（ステップＳ２５０）。この実施形態中、特定メッセージは測定報告メッセージである。即ち、移動通信装置１１０は、上述の検出されたセルラー局に関連する測定情報を測定結果の一部として有し、無線モジュール１１２により、測定報告メッセージを伝送することにより、測定結果をサービスネットワーク１２０に報告する。その後、サービスネットワーク１２０は、更に、測定結果に基づいて、移動通信装置１１０を、現在連結するセルラー局から別のセルラー局にハンドオーバーするか決定する。このようにして、移動通信装置１１０は、サービスネットワーク１２０により測定されることを要求、又は、設定されたＵＴＲＡセルだけでなく、サービスネットワーク１２０により測定、又は、設定が要求されていないＵＴＲＡセルに対しても、測定、及び、報告を実行して、サービスネットワークは、リストされた、及び、検出されたセル間でハンドオーバーを実行することができる。
【００２６】
ある実施形態中、特定メッセージ（例えば、測定報告メッセージ）を受信後、サービスネットワーク１２０は、特定メッセージから測定結果を回収し、移動通信装置１１０に測定が要求されないあるセルラー局に関連する測定情報があることを発見し、サービスネットワーク１２０は、更に、移動通信装置１１０にそれらのセルラー局に関連する追加情報を報告するよう要求する。例えば、サービスネットワーク１２０は、移動通信装置１１０に、特定メッセージを移動通信装置１１０に伝送することにより、上述の検出されたセルラー局に関連する追加情報を報告するように要求する。サービスネットワーク１２０が移動通信装置１１０に追加情報を報告するように要求するこの特定メッセージは、例えば、ＲＲＣ接続再設定メッセージである。上述の検出されたセルラー局に関連する追加情報は、例えば、これに限定するものではないが、ＣＧＳ情報、セルグローバルアイデンティティ（ＣＧＩ）情報、及び／又は、各検出されたセルラー局のセルＩＤを含む。ＣＧＳ情報は、ＣＳＧ識別子、及び／又は、移動通信装置１１０がＣＳＧメンバーかを示す情報を含む。ある実施形態中、追加情報は、移動通信装置１１０が以前既に受信されている上述の検出されたセルラー局のシステム情報である。選択的に、報告の一部として、サービスネットワーク１２０に報告する追加情報（移動通信装置１１０が有効である場合）は、例えば、これに限定するものではないが、近接報告をトリガーするＨＮＢの一つ、或いは、一組の既知の周波数と移動通信装置１１０のホワイトリストに保存されたＣＳＧ、及び／又は、報告（例えば、ＬＴＥ、又は、ＵＭＴＳ）をトリガーするＣＳＧセルラー局の既知のＲＡＴを含む。
【００２７】
無線モジュール１１２により、上述の検出されたセルラー局に関連する追加情報の報告に要求する特定メッセージの受信時、コントローラーモジュール１１４は、特定メッセージに基づいて、上述の検出されたセルラー局に関する要求された追加情報を得て、その後、特定の報告応答メッセージをサービスネットワーク１２０に伝送することにより、無線モジュール１１２により、サービスネットワーク１２０に追加情報を報告する。特定の報告応答メッセージは、例えば、これに限定するものではないが、近接指示、ＲＲＣ接続再設定完了メッセージ（ＲＲＣ接続再設定設定メッセージが既にサービスネットワーク１２０から受信された場合）、又は、ＣＧＳ情報に報告するためだけの専用メッセージ（例えば、専用のＣＳＧＩｎｆｏｒｍａｔｉｏｎＲｅｐｏｒｔ情報）を含む。
【００２８】
ある実施形態中、このような測定が許可される場合、サービスネットワーク１２０は、移動通信装置１１０に、検出されたセルラー局に対し測定を実行するように要求、又は、設定することもできる。例えば、一実施形態中、サービスネットワーク１２０は、測定対象中の隣接セルリストでセルラー局をリストすることにより、移動通信装置１１０に、検出されたセルラー局に対し測定を実行するように要求、又は、設定する。別の実施形態中、サービスネットワーク１２０は、特定の要求メッセージを移動通信装置１１０に伝送することにより、移動通信装置１１０に、検出されたセルラー局に対し測定を実行するように要求、又は、設定する。特定の要求メッセージは、例えば、システム情報、及び／又は、ＲＲＣ接続再設定メッセージである。
【００２９】
本発明の別の実施形態によると、前述のように、移動通信装置から近接指示メッセージを受信後、サービスネットワークが測定設定メッセージの隣接セルリストに、家庭配備型のＣＳＧセルラー局を含むことができない問題を解決するため、サービスネットワークのセルラー局から移動通信装置への測定要求工程が更に提供されて、サービスネットワークが、隣接セルリスト中に家庭配備型のＣＳＧセルラー局を含み、後続の操作に使用するため、移動通信装置にそれを伝送できるようにする。
【００３０】
図３は、本発明の別の実施形態によるセルラー局から移動通信装置への測定要求工程を説明するメッセージシーケンスチャートである。一般に、ＣＳＧセルラー局は、二種のセルラー局に分類され、家庭配備型のＣＳＧセルラー局（即ち、家庭で用いるＣＳＧセルラー局（例えば、ＨｅＮＢｓ））と、非家庭配備型（即ち、家以外の場所（例えば、スーパーマーケット、又は、デパート）で用いられるＣＳＧセルラー局である。この実施形態中、家庭配備型のＣＳＧセルラー局が考慮される。最初に、制御ノード１２４は、セルラー局１２２により、移動通信装置１１０から、近接指示を受信する（ステップＳ３１０）。制御ノード１２４は、その後、移動通信装置１１０に測定設定を準備し、移動通信装置１１０に、近接指示に基づいて、測定報告を実行するように要求する。その後、制御ノード１２４は、通信装置１１０の隣接セルリストに含まれない家庭配備型のＣＳＧセルラー局が検出されたかを判断する（ステップＳ３２０）。注意すべきことは、隣接セルリストは、隣接セルに関する情報、例えば、それらのセルＩＤを含む。制御ノード１２４は、家庭配備型のＣＳＧセルラー局のセルＩＤが隣接セルリストで見つけられるかを検索し、見つからない時、通信装置１１０の隣接セルリスト中に含まれない家庭配備型のＣＳＧセルラー局が検出されたと判断する。
【００３１】
この実施形態中、隣接セルリストに含まれない家庭配備型のＣＳＧセルラー局が検出されたと判断されたので、その後、制御ノード１２４は、隣接セルリストに含まれない家庭配備型のＣＳＧセルラー局を隣接セルリストに追加する（ステップＳ３３０）。
【００３２】
サービスネットワーク１２０は、更に、測定対象中に、更新された隣接セルリストを含み、移動通信装置１１０に、新しく加えられた家庭配備型のＣＳＧセルラー局に対し、測定と報告を実行するように設定、又は、要求する。例えば、上述の家庭配備型のＣＳＧセルラー局はＵＲＴＡセルラー局である。ある実施形態中、サービスネットワーク１２０が、移動通信装置１１０から特定メッセージを受信後、家庭配備型のＣＳＧセルラー局は、制御ノード１２４により隣接セルリスト中に含まれる。例えば、特定メッセージは、近接指示メッセージ、又は、移動通信装置１１０から伝送される専用メッセージで、サービスネットワーク１２０に、移動通信装置１１０が、上述の家庭配備型のＣＳＧセルラー局の専用メッセージ、例えば、特定の測定設定メッセージを設定するように要求する。一実施形態中、移動通信装置１１０は、例えば、特定のセルラー局の被覆範囲に近い、又は、範囲内の検出時に、特定メッセージをサービスネットワーク１２０に伝送する。別の実施形態中、移動通信装置１１０は、上層ソフトウェアから要求の受信時、特定メッセージをサービスネットワーク１２０に伝送し、この上層ソフトウェアの要求は、移動通信装置１１０のユーザーにより、手動で、検索を要求される特定のセルラー局を入力する時トリガーされる。
【００３３】
一実施形態中、上述の特定のセルラー局は、移動通信装置１１０が以前に訪れたセルラー局、例えば、これに限定するものではないが、移動通信装置１１０の前のサービングセル、移動通信装置１１０が以前に留まったセルラー局、移動通信装置１１０が以前に測定したセルラー局、移動通信装置１１０が以前に測定が設定されたセルラー局、移動通信装置１１０のＵＳＩＭに保存されるセルラー局、及び、移動通信装置１１０の指紋リストに保存されるセルラー局である。別の実施形態中、上述の特定のセルラー局は、移動通信装置１１０のメモリに既に保存されたセルラー局で、例えば、これに限定するものではないが、サービスネットワーク１２０により以前に設定されたが発見されないセルラー局、移動通信装置１１０のＵＳＩＭに保存されるセルラー局、及び、移動通信装置１１０のソフトウェア、又は、ハードウェアに保存されるセルラー局である。別の実施形態中、上述のセルラー局は、移動通信装置１１０のユーザーにより手動で入力されたセルラー局、例えば、ユーザーが入力して、且つ、検索を要求される特定のセルラー局である。
【００３４】
隣接セルリストが更新された後、制御ノード１２４は、セルラー局１２２により、更新された隣接セルリストを有する測定要求を移動通信装置１１０に伝送し（ステップＳ３４０）、更新された隣接セルリスト中のセルラー局に、測定実行を要求する。よって、測定要求を受信する時、コントローラーモジュール１１４は、無線モジュール１１２により、家庭配備型のＣＳＧセルラー局を含む更新された隣接セルリスト中のセルラー局に測定を実行する。測定終了後、コントローラーモジュール１１４は、更に、無線モジュール１１２により、測定結果をサービスネットワーク１２０に報告する。このようにして、家庭配備型のＣＳＧセルも移動通信装置１１０により測定され、よって、移動通信装置１１０は、その後、家庭配備型のＣＳＧセルにハンドオーバーされる。
【００３５】
図４は、本発明の実施形態による移動通信装置に適用する測定報告工程を実行する方法を説明するフローチャートである。この実施形態中、移動通信装置は第一サービスネットワークの第一セルラー局で留まり、第二サービスネットワークの第二セルラー局でも留まることができ、第一サービスネットワークはロングタームエボリューション（ＬＴＥ）技術をサポートし、第二サービスネットワークはユニバーサル地上無線アクセス（ＵＴＲＡ）技術をサポートする。まず、移動通信装置は、第一サービスネットワークの第一セルラー局から、測定要求メッセージを受信する（ステップＳ４１０）。測定要求メッセージは、測定が要求、又は、設定されたセルラー局のセルＩＤのリストを含む。次に、移動通信装置は、第一サービスネットワークにより測定が設定、又は、要求されない第二サービスネットワークのある第二セルラー局、例えば、測定要求メッセージの測定対象中でリストされないが、測定対象により示されるキャリア周波数上で検出できるセルラー局が存在することを発見する。サービスネットワーク１３０の第二セルラー局は検出されたセルラー局と称される。ある実施形態中、検出されたセルラー局はＣＳＧセルラー局である。特に、ＣＳＧセルラー局は家庭配備型である。例えば、上述のＣＳＧセルラー局は、移動通信装置１１０のホワイトリストに含まれるＣＳＧセルラー局である。前述のように、上述の検出されたセルラー局は、例えば、移動通信装置１１０が以前に訪れたセルラー局、移動通信装置１１０のメモリに既に保存されたセルラー局、又は、移動通信装置１１０のユーザーにより手動で入力されるセルラー局であるが、これに限定されない。
【００３６】
その後、移動通信装置は、測定要求メッセージに従って、リストされたセルラー局だけでなく、第一サービスネットワーク（例えば、検出されたセルラー局）により測定、又は、設定が要求されない第二セルラー局に測定を実行し（ステップＳ４２０）、測定が終了後、特定メッセージを伝送することにより、測定結果をサービスネットワーク１２０に報告し（ステップＳ４３０）、報告された測定結果は、上述の検出されたセルラー局に関連する測定情報を含む。
【００３７】
このようにして、移動通信装置１１０は、サービスネットワーク１２０により測定することを要求、又は、設定されたＵＴＲＡセルだけでなく、サービスネットワーク１２０により測定、又は、設定が要求されてないＵＴＲＡセルにも測定、及び、報告し、サービスネットワークは、リストされた、及び、検出されたセル間で、ハンドオーバーを実行することができる。
【００３８】
前述のように、ある実施形態中、特定メッセージ（例えば、測定報告メッセージ）を受信後、サービスネットワーク１２０は、特定メッセージから、測定結果を回収して、移動通信装置１１０に測定が要求されないあるセルラー局に関連する測定情報があることを発見し、よって、サービスネットワーク１２０は、更に、例えば、特定メッセージ（例えば、ＲＲＣ接続再設定メッセージ）を移動通信装置１１０に伝送することにより、移動通信装置に、それらのセルラー局に関連する追加情報を報告するよう要求する。上述の検出されたセルラー局に関連する追加情報は、例えば、これに限定するものではないが、ＣＧＳ情報、セルグローバルアイデンティティ（ＣＧＩ）情報、及び／又は、各検出されたセルラー局のセルＩＤを含む。ＣＧＳ情報は、ＣＳＧ識別子、及び／又は、移動通信装置１１０がＣＳＧメンバーであるかの表示を含む情報である。ある実施形態中、追加情報は、移動通信装置１１０が以前に既に受信された上述の検出されたセルラー局のシステム情報である。
【００３９】
図５は、本発明の実施形態による移動通信装置の隣接セルリストを更新するサービスネットワークの方法を説明するフローチャートである。この実施形態中、移動通信装置は、サービスネットワークのＣＳＧセルラー局で留まり、ＣＳＧセルラー局は移動通信装置の隣接セルリストを維持し、隣接セルに関するセル情報、例えば、セルＩＤ等を示す。
【００４０】
初めに、サービスネットワークは、セルラー局により、移動通信装置から、近接指示を受信し（ステップＳ５１０）、通信装置１１０の隣接セルリストに含まれない家庭配備型のＣＳＧセルラー局が検出されたか判断する（ステップＳ５２０）。サービスネットワークは、家庭配備型のＣＳＧセルラー局のセルＩＤが隣接セルリスト中で見つかるか検索し、見つからない時、通信装置１１０の隣接セルリストに含まれない家庭配備型のＣＳＧセルラー局が検出されたと判断する。隣接セルリストに含まれない家庭配備型のＣＳＧセルラー局が検出されたと判断する場合、サービスネットワークは、隣接セルリストに含まれない家庭配備型のＣＳＧセルラー局を隣接セルリストに加える（ステップＳ５３０）。サービスネットワークは、測定対象中に、更新された隣接セルリストを含む。上述の家庭配備型のＣＳＧセルラー局はＵＲＴＡセルラー局である。ある実施形態中、移動通信装置から特定メッセージが受信された後、家庭配備型のＣＳＧセルラー局が隣接セルリストに含まれ、特定メッセージは、近接指示メッセージ、又は、移動通信装置から伝送された専用メッセージで、サービスネットワークに、移動通信装置が上述の家庭配備型のＣＳＧセルラー局の設定、例えば、特定の測定設定メッセージを設定するよう要求する。一実施形態中、例えば、特定のセルラー局の被覆範囲近くか、又は、範囲内の検出時、又は、上層からの要求の受信時、移動通信装置は、特定メッセージをサービスネットワークに伝送し、上層ソフトウェアの要求は、手動で、検索を要求される特定のセルラー局を入力する時トリガーされる。前述のように、上述の特定のセルラー局は、移動通信装置１１０が前に訪れたセルラー局、移動通信装置１１０のメモリに既に保存されたセルラー局、又は、移動通信装置１１０のユーザーにより手動で入力されるセルラー局であるが、これに限定されない。
【００４１】
隣接セルリストが更新された後、サービスネットワークは、セルラー局により、更新された隣接セルリストを有する測定要求を移動通信装置に伝送し（ステップＳ５４０）、更新された隣接セルリスト中、セルラー局に対し測定を実行することを要求する。測定要求を受信する時、移動通信装置は、家庭配備型のＣＳＧセルラー局を含む更新された隣接セルリスト中のセルラー局に測定を実行し、測定が終了した後、移動通信装置は、測定結果をサービスネットワークに報告する。このようにして、家庭配備型のＣＳＧセルも、移動通信装置により測定され、よって、移動通信装置は、その後、家庭配備型のＣＳＧセルにハンドオーバーすることができる。
【００４２】
当然のことながら、この実施形態中、近接指示がまず移動通信装置から受信されて、隣接セルリストに含まれない家庭配備型のＣＳＧセルラー局が検出されたか判断し、隣接セルリストに含まれない家庭配備型のＣＳＧセルラー局を隣接セルリストに加えるが、本発明はこれに限定されない。本発明中、近接指示工程は、単なる任意の工程である。ある実施形態中、サービスネットワークが近接指示工程を有効にしなくても、本発明の移動通信装置の隣接セルリストを更新するサービスネットワークの方法が適用されて、隣接セルリストに含まれない家庭配備型のＣＳＧセルラー局を隣接セルリストに加える。更に、移動通信装置は、近接指示の後か前に、測定報告を伝送する。
【００４３】
測定報告の方法は、機械可読ストレージ媒体、例えば、磁気テープ、半導体、磁気ディスク、光ディスク（例えば、ＣＤ−ＲＯＭ、ＤＶＤ−ＲＯＭ等）、又は、その他に保存されるプログラムコードで実施され、処理ユニット、マイクロ制御ユニット（ＭＣＵ）、又は、図１中のコントローラーモジュール１１４によりロード、実行される時、プログラムコードは、測定報告の方法を実行する。この他、方法はＷＣＤＭＡ技術、及び／又は、ＬＴＥ技術をサポートする移動通信装置に適用される。
【００４４】
本発明では好ましい実施例を前述の通り開示したが、これらは決して本発明に限定するものではなく、当該技術を熟知する者なら誰でも、本発明の精神と領域を脱しない範囲内で各種の変動や改良を加えることができ、従って本発明の保護範囲は、特許請求の範囲で指定した内容を基準とする。
【符号の説明】
【００４５】
１００  移動通信環境
１１０  移動通信装置
１１２  無線モジュール
１１４  コントローラーモジュール
１２０  サービスネットワーク
１２２  セルラー局
１２４  制御ノード
１３０  サービスネットワーク
１３２  セルラー局
１３６  制御ノード
Ｓ２１０−Ｓ２５０  ステップ
Ｓ３１０−Ｓ３４０  ステップ
Ｓ４１０−Ｓ４３０  ステップ
Ｓ５１０−Ｓ５４０  ステップ
【図１】
0005536700.tif 000002
【図２】
0005536700.tif 000003
【図３】
0005536700.tif 000004
【図４】
0005536700.tif 000005
【図５】
0005536700.tif 000006